(57)【要約】基板（１）と前記基板（２）の上のいずれかの層に光学的情報層を有し、前記基板側及び前記基板と反対の面から選ばれる少なくとも一方の面に光入射面を備えた光学的情報記録媒体であって、前記光入射面から前記光学的情報層への入射光を阻害しない位置でかつ前記光学的情報層の一部または全部を覆う位置に磁性クランプ層（２）を備え、光学的情報記録再生装置のマグネットに吸引させて固定する。前記クランプ層とマグネットとの吸引力は０．１Ｎ〜５Ｎの範囲が好ましい。これにより、基板（１）の中心近傍まで記録再生が可能な光学的情報記録媒体と光学的情報記録再生装置を提供できる。
2002089137.tif 000002
【特許請求の範囲】
【請求項１】
基板と前記基板の上のいずれかの層に光学的情報層を有し、前記基板側及び前記基板と反対の面から選ばれる少なくとも一方の面に光入射面を備えた光学的情報記録媒体であって、前記光入射面から前記光学的情報層への入射光を阻害しない位置でかつ前記光学的情報層の一部または全部を覆う位置に磁性クランプ層を備えたことを特徴とする光学的情報記録媒体。
【請求項２】
前記基板と前記光学的情報層がいずれも単一層であり、前記光入射面と反対の位置に磁性クランプ層を備えた請求項１に記載の光学的情報記録媒体。
【請求項３】
前記基板が第１の基板と第１の光学的情報層、および第２の基板と第２の光学的情報層からなり、前記第１の基板と前記第２の基板それぞれの前記光入射面と反対の面を向かい合わせて貼り合わせる面に磁性クランプ層を備えたことを特徴とする光学的情報記録媒体。
【請求項４】
前記クランプ層は薄膜状であり、蒸着法もしくはスパッタ法によって前記基板に直接形成した請求項１に記載の光学的情報記録媒体。
【請求項５】
前記クランプ層は薄膜状であり、光学的情報層に密着した反射膜を兼用している請求項１に記載の光学的情報記録媒体。
【請求項６】
前記クランプ層は、前記反射膜に密着した保護層を兼用している請求項５に記載の光学的情報記録媒体。
【請求項７】
前記クランプ層は薄板シート状であり、前記基板に接着固定されている請求項１に記載の光学的情報記録媒体。
【請求項８】
前記基板と前記クランプ層は、樹脂材料を複合成型して固定する請求項１に記載の光学的情報記録媒体。
【請求項９】
前記クランプ層と第１の基板および第２の基板は、樹脂材料を複合成型して固定する請求項２に記載の光学的情報記録媒体。
【請求項１０】
前記基板の中心位置を決めるための芯出部として、前記クランプ層に１以上の孔形状及び凸形状から選ばれる少なくとも一つの芯出部を備えた請求項１に記載の光学的情報記録媒体。
【請求項１１】
前記クランプ層の前記剛性が基板の剛性より高く、かつ前記クランプ層の平面度が前記基板の平面度より高く、前記基板に前記クランプ層を固定することにより前記基板の平面度が前記クランプ層の平面度に規制されている請求項１に記載の光学的情報記録媒体。
【請求項１２】
前記基板の最大寸法が８０ｍｍ以下でありかつ前記情報層の表面積が前記基板の外形総面積の８０％以上である請求項１に記載の光学的情報記録媒体。
【請求項１３】
基板と前記基板の上のいずれかの層に光学的情報層を有し、前記基板側及び前記基板と反対の面から選ばれる少なくとも一方の面に光入射面を備え、前記光入射面から前記情報層への入射光を阻害しない位置でかつ前記光学的情報層の一部または全部を覆う位置に磁性クランプ層を備えた光学的情報記録媒体に対して、前記光入射面側から前記情報層に光を照射する光ピックアップ装置と、
前記光学的情報記録媒体に対して前記光ピックアップ装置と反対側に位置し、前記光学的情報記録媒体を保持する保持部材と、
前記保持部材に固定され前記クランプ層を磁性的に吸引する吸引部材と、
前記保持部材を回転させる回転部材とを備えたことを特徴とする光学的情報記録再生装置。
【請求項１４】
前記保持部材の外形形状が前記光学的情報記録媒体の外形形状と略一致した請求項１３に記載の光学的情報記録再生装置。
【請求項１５】
前記クランプ層の外形形状と前記基板の外形形状が略一致した光学的情報記録媒体の外形形状に対して、前記保持部材の外形形状が略一致した請求項１３記載の光学的情報記録再生装置。
【請求項１６】
前記保持部材の剛性が前記クランプ層および前記基板の剛性より高く、前記保持部材の平面度が前記クランプ層および前記基板の平面度より高く、前記クランプ層と前記吸引部材との吸引力によって基板の平面度が前記保持部材の平面度によって規制されている請求項１３に記載の光学的情報記録再生装置。
【請求項１７】
前記基板の最大寸法が８０ｍｍ以下でありかつ前記情報層の表面積が前記基板の外形総面積の８０％以上である請求項１３に記載の光学的情報記録媒体。
【請求項１８】
前記クランプ層と前記吸引部材との吸引力が０．１Ｎ〜５Ｎの範囲である請求項１３に記載の光学的情報記録媒体。
【発明の詳細な説明】
技術分野
本発明は、光学的情報記録媒体及び情報を記録もしくは再生する光学的情報記録再生装置に関する。
背景技術
円盤状の光学的情報記録媒体を使用する光学的情報記録再生装置はコンパクトディスク（ＣＤ）プレーヤやミニディスク（ＭＤ）レコーダなどさまざまな形態の装置があるが、近年さらに情報記録媒体や記録再生装置の小型化が進められている。
以下図面を参照しながら、上記した従来の光学的情報記録媒体と光学的情報記録再生装置の一例について説明する。
図１１は従来の光学的情報記録媒体と光学的情報記録再生装置の構成を示す断面図である。図１１において、基板５１は光入射面５１ｃとこれに平行な情報層５１ｅを有している。基板５１には中心近傍に光入射面５１ｃに平行なターンテーブル設置面５１ｂと、中心孔である芯出し部５１ａが形成されている。基板５１のターンテーブル設置面５１ｂに対向する面上には磁性体で形成された吸引板５２が固定され光学的情報記録媒体を構成している。５３は基板５１を搭載するターンテーブルであり、ターンテーブル芯出し部材５３ａが一体に構成されている。ターンテーブル５３の中にマグネット５４が固定され、保持部材を構成している。ターンテーブル５３は回転部材であるスピンドルモータ５５に固定されている。ターンテーブル芯出し部材５３ａとスピンドルモータ５５の回転中心軸は一致している。基板５１の光入射面５１ｃに光を照射し情報の記録再生を行うピックアップ５６は基板５１に対してターンテーブル５３と同じ側に配置されている。
以上のように構成された光学的情報記録媒体と光学的情報記録再生装置について、以下その動作について説明する。
基板５１に設けられた芯出し部５１ａがターンテーブル５３上のターンテーブル芯出し部材５３ａに係合するように基板５１をターンテーブル５３上に搭載する。このとき、基板５１の光入射面５１ｃがターンテーブル側にくる。マグネット５４と吸引板５２の間に発生する吸引力によって基板５１をターンテーブル５３に押し付けている。スピンドルモータ５５が回転することによりターンテーブル５３と基板５１が一体に回転する。基板５１に対してターンテーブル５３と同じ側にあるピックアップ５６からの出射光が基板５１の光入射面５１ｃから情報層５１ｅに照射され、情報の記録再生が行われる。ピックアップ５６が基板５１の半径方向に移動することによってピックアップ５６からの出射光が情報領域５１ｄ全面にわたって照射可能であり情報の記録再生を行う。
光ディスクなどの円盤状の情報記録媒体は近年小型化が進み、外形が小さくなり、情報の記録できる面積が小さくなってきている。図１１において従来の光学的情報記録再生装置ではピックアップ５３はスピンドルモータとの干渉により半径Ｒ２の位置より内周側に移動することが不可能であり、基板５１の中心近傍はピックアップからの出射光が照射できないため、情報の記録再生が不可能な領域となる。また基板５１がターンテーブル５３と接するターンテーブル設置面５１ｂもピックアップ５３からの出射光が照射できないため情報の記録再生が不可能な領域となる。例えば、ミニディスクでは図１１中の基板の外径であるＤ５１が６４ｍｍであり、情報領域の直径は３２ｍｍから６１ｍｍである。直径６４ｍｍの総面積のうち情報領域の面積の割合は６６％である。基板の直径を小径の５０ｍｍにすると情報領域の割合は４７％になってしまう。情報領域の割合を増やすために記録再生が不可能な領域を小さくするにはターンテーブル５３およびターンテーブル設置面５１ｂの外径を小さくする必要がある。しかし、ターンテーブル５３およびターンテーブル設置面５１ｂの外径を小さくすると基板５１の保持が不安定になりスピンドルモータ５５の回転が正確に伝わらなかったり、基板５１の面振れが大きくなることにより基板５１の情報の記録再生が不安定になる恐れがあるため、ターンテーブル５３の外径をあまり小さくすることは不可能であった。そのため、基板５１の外径を小さくすると基板５１の総面積に対する情報領域の割合が小さくなる問題を有していた。
発明の開示
本発明は、前記従来の問題を解決するため、基板の中心近傍まで記録再生が可能な光学的情報記録媒体と光学的情報記録再生装置を提供することを目的とする。
前記目的を達成するため、本発明の光学的情報記録媒体は、基板と前記基板の上のいずれかの層に光学的情報層を有し、前記基板側及び前記基板と反対の面から選ばれる少なくとも一方の面に光入射面を備えた光学的情報記録媒体であって、前記光入射面から前記光学的情報層への入射光を阻害しない位置でかつ前記光学的情報層の一部または全部を覆う位置に磁性クランプ層を備えたことを特徴とする。
次に本発明の光学的情報記録再生装置は、基板と前記基板の上のいずれかの層に光学的情報層を有し、前記基板側及び前記基板と反対の面から選ばれる少なくとも一方の面に光入射面を備え、前記光入射面から前記情報層への入射光を阻害しない位置でかつ前記光学的情報層の一部または全部を覆う位置に磁性クランプ層を備えた光学的情報記録媒体に対して、前記光入射面側から前記情報層に光を照射する光ピックアップ装置と、
前記光学的情報記録媒体に対して前記光ピックアップ装置と反対側に位置し、前記光学的情報記録媒体を保持する保持部材と、
前記保持部材に固定され前記クランプ層を磁性的に吸引する吸引部材と、
前記保持部材を回転させる回転部材とを備えたことを特徴とする。
発明を実施するための最良の形態
本発明の光学的情報記録媒体は、光入射面から光学的情報層への入射光を阻害しない位置でかつ光学的情報層の一部または全部を覆う位置に磁性クランプ層を備える。これにより、光学的情報記録媒体の外径が小さくなっても、中心近傍まで情報の記録再生が可能であるので、従来の構成より記録容量を大きくすることができる。また、光学的情報記録再生装置に取り付けらた磁性的に吸引する吸引部材と磁性クランプ層とは互いに引き合うので、光学的情報記録媒体を安定して固定できる。
本発明においては、基板と光学的情報層がいずれも単一層であり、光入射面と反対の位置に磁性クランプ層を備えていてもよい。また、基板が第１の基板と第１の光学的情報層、および第２の基板と第２の光学的情報層からなり、第１の基板と第２の基板それぞれの光入射面と反対の面を向かい合わせて貼り合わせる面に磁性クランプ層を形成してもよい。
前記クランプ層は薄膜状であり、蒸着法もしくはスパッタ法によって基板に直接形成してもよい。また、前記クランプ層は薄膜状であり、光学的情報層に密着して反射膜を兼用してもよい。
また、前記クランプ層は、前記反射膜に密着した保護層を兼用してもよい。
また、前記クランプ層は薄板シート状であり、前記基板に接着固定されていてもよい。
前記基板と前記クランプ層は、樹脂材料を複合成型して固定してもよい。また、前記クランプ層と第１の基板および第２の基板は、樹脂材料を複合成型して固定してもよい。
前記基板の中心位置を決めるための芯出部は、前記クランプ層に１以上の孔形状及び凸形状から選ばれる少なくとも一つの芯出部を備えたことが好ましい。
また、前記クランプ層の前記剛性が基板の剛性より高く、かつ前記クランプ層の平面度が前記基板の平面度より高く、前記基板に前記クランプ層を固定することにより前記基板の平面度が前記クランプ層の平面度に規制されていてもよい。
また、前記基板の最大寸法が８０ｍｍ以下でありかつ前記情報層の表面積が前記基板の外形総面積の８０％以上であることが好ましい。
次に本発明の光学的情報記録再生装置においては、保持部材の外形形状が前記光学的情報記録媒体の外形形状と略一致していることが好ましい。これにより、光学的情報記録媒体の外径が小さくなっても、中心近傍まで情報の記録再生が可能であるので、従来の構成より記録容量を大きくすることができる。
前記クランプ層の外形形状と前記基板の外形形状が略一致した光学的情報記録媒体の外形形状に対して、前記保持部材の外形形状を略一致させてもよい。
前記保持部材の剛性が前記クランプ層および前記基板の剛性より高く、前記保持部材の平面度が前記クランプ層および前記基板の平面度より高く、前記クランプ層と前記吸引部材との吸引力によって基板の平面度が前記保持部材の平面度によって規制されていてもよい。
本発明において、前記クランプ層と前記吸引部材（マグネット）との吸引力は０．１Ｎ以上５Ｎ以下の範囲が好ましく、さらには０．２Ｎ以上３Ｎ以下の範囲が好ましく、とくに０．２Ｎ以上２Ｎ以下の範囲が好ましい。吸引力が０．１Ｎ未満では吸引効果を発揮することが困難であり、また５Ｎを越えるとコストが高くなり好ましくない。
以下、本発明の実施の形態について、図面を参照しながら説明する。
（実施の形態１）
図１は光学的情報記録媒体と光学的情報記録再生装置の構成を示す斜視図、図２、図３はその断面図である。図１及び図２において、１は基板であり、光入射面１ｃの裏側１ｅに磁性体で形成されたクランプ層である吸引板２が固定され光学的情報記録媒体を構成している。吸引板２の中心近傍には芯出し部２ａを構成する孔が設けられている。基板１は光入射面１ｃとこれに平行な情報層を有している。
本実施形態で用いたディスク構成は、０．３４ミクロン毎にグループとランドが交互に形成された直径８０ｍｍ、厚み０．６ｍｍのポリカーボネート製信号記録用トラックを持つ基板を用いた。図４に示すように、ディスク状のポリカーボネート基板２１の上にＡｇ反射層２２を厚さ１００ｎｍにスパッタリングで形成し、第１の誘電体層２３としてＺｎＳ−ＳｉＯ２混合膜を厚さ１００ｎｍにスパッタリングで形成し、記録層２４としてＧｅ：Ｓｂ：Ｔｅ＝２０：２５：５５の原子％比の組成物を厚さ１２ｎｍにスパッタリングで形成した。その表面に第２の誘電体層２５としてＴａ２Ｏ５を厚さ５０ｎｍにスパッタリングで形成し、その表面に光硬化アクリル樹脂をスピンコート法で塗布し、紫外線（ＵＶ）を用いて厚み１０μｍの透明保護膜２６を形成した。次に透明保護膜２６の表面に、ハードコート膜２７を形成した。ハードコート膜２７は、市販の紫外線硬化型のシリコーン樹脂コート剤をスピンコートにより塗布し、その後紫外線硬化を行って形成した。膜厚は２μｍであった。この光情報ディスクは、青色レーザ光をハードコート膜２７側から入射するタイプのＤＶＤディスクである。
別に、厚さ０．４ｍｍの鉄にクロムを１８重量％含んだ磁性体ステンレス鋼シートから金型を用いてプレス工法によって打ち抜き、直径５ｍｍの中心孔を有する直径４０ｍｍの円盤とし、これを図２に示すように基板１の光入射面１ｃの裏側１ｅに吸引板２（クランプ層）として、エポキシ系接着剤を用いて貼り付けた。
以上のようにして形成した基板１をターンテーブル３に搭載した。ターンテーブル３には、中心近傍にターンテーブル芯出し部材３ａが一体に形成されていた。ターンテーブル３にはネオジム・鉄・ボロン磁石で形成された吸引部材であるマグネット４が固定され保持部材を構成している。ターンテーブル３は回転部材であるスピンドルモータ５に固定されている。図３において、６はピックアップで基板１に出射光を照射し情報の記録再生を行う。
以上のように構成された光学的情報記録媒体と光学的情報記録再生装置について、以下その動作について説明する。
図２において、吸引板２に設けられた芯出し部２ａがターンテーブル３に設けられたターンテーブル芯出し部材３ａに係合するように基板１をターンテーブル３上に搭載した。このときマグネット４と吸引板２の間に発生する吸引力によって基板１がターンテーブル３に押し付けられた。この吸引力は２Ｎであった。ターンテーブル３はスピンドルモータ５に固定されており、スピンドルモータ５の回転により光学的情報記録媒体が回転する。このような動作により光学的情報記録媒体が光学的情報記録再生装置に搭載された状態を図３に示す。図３において、ピックアップ６から出射された光が基板１の光入射面１ｃから情報層に照射され、情報の記録再生が行われる。ピックアップ６は移送手段（図示せず）によって基板１の半径方向に移動する。ターンテーブル３は基板１の光入射面１ｃに対向する面に位置している。
ピックアップ６は従来例の図１１にて説明したＲ２より小さい半径Ｒ１の位置まで移動可能であり、ピックアップ６からの出射光が基板１の中心近傍から外周までほぼ全面に照射することが可能になった。すなわち、記録不可能領域のほとんど存在しないほぼ基板全面が情報領域１ｄである光学的情報記録媒体が実現できた。例えば図１１に示す従来の構成では基板５１の外径Ｄ５１を５０ｍｍとしたとき総面積に対する情報領域の割合は４７％であるが、図１に示す本実施例では情報領域の内径を６ｍｍとすると情報領域の割合は８７％になる。また、従来の構成において、基板の外径が５０ｍｍの時と同じ面積の情報領域を実現するには、情報領域の内径を６ｍｍにすると情報領域の外径は３６．３ｍｍとなり、基板１の外径Ｄ１を３８ｍｍ程度まで小さくすることが可能である。
光学的情報記録再生装置のピックアップ６とスピンドルモータ５がそれぞれ基板１の表裏にあるのでスピンドルモータ５の外径は従来例より大きくすることができるので、同じトルクを得るのであれば薄型化が可能である。将来、薄膜技術などを用いてピックアップ６の光軸方向寸法が小さくなれば情報記録再生装置の光軸方向寸法（高さ寸法）を従来例より小さくすることが可能である。
（実施の形態２）
この例では吸引板２がターンテーブル３に接する例を説明する。
図５において光学的情報記録媒体を形成する方法は図３および図４にて説明した実施の形態１と同様である。基板１の直径が８０ｍｍであり、吸引板２の直径は７８ｍｍであり、吸引力は２Ｎであった。実施の形態２ではピックアップからの出射光が基板１の中心近傍から外周までほぼ全面に照射することが可能であり実施の形態１と同様の効果が得られた。また、基板１より吸引板２の剛性および平面度を高くすることにより、基板１が薄く剛性の低いものであっても剛性および平面度が高い吸引板２に接着固定することによりその平面度を向上させることができた。
本実施の形態１では図３に示すようにターンテーブル３の中心部近傍に構成されたターンテーブル芯出し部材３ａに係合する芯出し部２ａを吸引板２の中心部近傍に形成したが、図６に示すように吸引板２の外周がターンテーブル３に係合する構成であっても同等の効果が得られる。
本実施の形態では芯出し部として吸引板に孔を設け、ターンテーブルに凸形状のターンテーブル芯出し部材を設けたが、図８に示すように凸形状の芯出し部２ａと凹形状のターンテーブル芯出し部材３ａを設けても同等の効果が得られる。
（実施の形態３）
この例では吸引板２挟んで基板が互いに光入射面が外を向くように貼り合わされた例を説明する。
図７において、厚さ０．４ｍｍの鉄にクロムを１８重量％含んだ磁性体ステンレス鋼シートを金型を用いてプレス工法によって打ち抜き、直径８０ｍｍの円盤状の吸引板２を形成した。吸引力は２Ｎであった。また中心に直径５ｍｍの孔を有する直径８０ｍｍの基板１１，１２に、図４にて説明した実施の形態１と同様に反射層、誘電体層、記録層、保護膜、ハードコート膜を形成した。吸引板２を挟んで基板１１、１２が互いに光入射面が外を向くようにエポキシ系接着剤を用いて貼り合わせ、光学的情報記録媒体を形成した。実施の形態３ではピックアップからの出射光が基板１１，１２の中心近傍から外周までほぼ全面に照射することが可能であり、実施の形態１と同等の効果が得られた。また、基板１１，１２より吸引板２の剛性および平面度を高くすることにより、基板１１，１２が薄く剛性の低いものであっても剛性および平面度が高い吸引板２に接着固定することによりその平面度を向上させることができた。
（実施の形態４）
この例では反射膜とクランプ層を１つの材料で兼用した例を説明する。
図９に示すように基板１の光入射面１Ｃと反対の面上に蒸着によりニッケルを５μｍ厚で積層させ反射膜７を形成し、その表面に光硬化アクリル樹脂をスピンコート法で塗布し、紫外線を用いて厚み１０μｍの保護膜８を形成した。ニッケル反射膜７は磁性体でありマグネット４に吸引されるので実施の形態１と同等の効果が得られた。吸引力は０．５Ｎであった。この例では、クランプ層として吸引板を接着する必要がないので低コストな光学的情報記録媒体が実現できた。
（実施の形態５）
この例では吸引板に基板を一体成形する例を説明する。
まず、基板を成形する金型内に吸引板を挿入する。吸引板は予めクロムを１８重量％含んだ厚さ０．４ｍｍのステンレス鋼板をプレスによって直径４０ｍｍの円盤状に形成した。基板の材料であるポリカーボネートを溶融させ金型内に注入した。ポリカーボネートが冷却硬化し、吸引板表面に密着固定された直径８０ｍｍの基板を形成した。基板の吸引板が固着した面と反対側の表面に図４と同様に反射層、誘電体層、記録層、保護膜、ハードコート膜を形成し、光学的情報記録媒体を形成した。吸引板の吸引力は２Ｎであった。
本例のように、吸引板を一体成形する構成であっても実施の形態１と同等の効果が得られた。さらに、吸引板を接着する必要がないので低コストな光学的情報記録媒体が実現できる。
本実施に形態において、吸引板２は厚さ０．１ｍｍ前後のシート状であり、基板１に接着固定された構成であっても同等の効果が得られる。
本実施に形態において、光ピックアップにて記録再生される情報が基板に記録されており、この基板に吸引板を接着固定する構成であるが、吸引板に情報が記録されており、この吸引板に樹脂材料を一体成形することにより基板を形成する構成の光学的情報記録媒体であっても同等の効果が得られる。
（実施の形態６）
図１０において、基板１は図４にて説明した実施の形態１と同様に反射層、誘電体層、記録層、保護膜、ハードコート膜を形成した。直径は８０ｍｍであった。吸引板２はエポキシ樹脂にネオジム・鉄・ボロン磁石の粉末を混合したボンド磁石を用いて、射出成形して厚さ１ｍｍ、直径７０ｍｍの円盤状に形成した。基板１と吸引板２はエポキシ系接着剤を用いて貼り合わせ、光学的情報記録媒体を形成した。ターンテーブル３は鉄にクロムを１８重量％含んだ磁性体ステンレス鋼を切削加工し形成した。吸引板とターンテーブル間に働く磁気吸引力（２Ｎ）により基板がターンテーブル上に固定できた。実施の形態６ではピックアップからの出射光が基板１の中心近傍から外周までほぼ全面に照射することが可能であり実施の形態１と同等の効果が得られた。
本実施の形態では光学的情報記録媒体は円盤形状であるが、四角形など円盤形状以外の形であってもよい。
本実施の形態では光学的情報記録再生装置の動作時は光学的情報記録媒体はスピンドルモータによって回転する構成であるが、基板に対し平行移動する構成であっても同等の効果が得られる。
本実施の形態では光学的情報記録再生装置の動作時は光学的情報記録媒体はスピンドルモータによって回転しピックアップが移送手段により移動する構成であるが、光学的情報記録媒体は回転動作せずにピックアップのみが基板対し平行に移動する構成であっても同等の効果が得られる。
産業上の利用可能性
本発明は、光学的情報記録媒体の外径が小さくなっても、中心近傍まで情報の記録再生が可能であるので、従来の構成より記録容量を大きくすることができる。また、スピンドルモータの薄型化も可能であるので光学的情報記録媒体の小径化と合わせて光学的情報記録再生装置の小型化が実現可能になる。また、基板と吸引板の外径が略同一であると基板が薄くなり反りなどが生じても吸引板に固定することによって精度を向上させることが可能である。保持部材の外径が光学的情報記録媒体の外径と略同一であると、光学的情報記録媒体を保持部材上に搭載する際、保持部材の中心と光学的情報記録媒体の中心が合わせやすくなり、かつ光学的情報記録媒体の保持が安定することにより記録再生動作が安定した光学的情報記録媒体と光学的情報記録再生装置が実現可能となる。
【図面の簡単な説明】
図１は本発明の実施の形態１における光学的情報記録媒体と光学的情報記録再生装置を示す斜視図である。
図２は本発明の実施の形態１における光学的情報記録媒体と光学的情報記録再生装置を示す断面図である。
図３は本発明の実施の形態１における光学的情報記録媒体と光学的情報記録再生装置を示す断面図である。
図４は本発明の実施の形態１における光学的情報記録媒体の断面図である。
図５は本発明の実施の形態２における光学的情報記録媒体と光学的情報記録再生装置の他の例を示す断面図である。
図６は本発明の実施の形態２における光学的情報記録媒体と光学的情報記録再生装置の他の例を示す断面図である。
図７は本発明の実施の形態３における光学的情報記録媒体と光学的情報記録再生装置の他の例を示す断面図である。
図８は本発明の実施の形態２における光学的情報記録媒体と光学的情報記録再生装置の他の例を示す断面図である。
図９は本発明の実施の形態４における光学的情報記録媒体と光学的情報記録再生装置の他の例を示す断面図である。
図１０は本発明の実施の形態６における光学的情報記録媒体と光学的情報記録再生装置の他の例を示す断面図である。
図１１は従来の光学的情報記録媒体と光学的情報記録再生装置を示す断面図である。
１  基板、２  吸引板、３  ターンテーブル、４  マグネット、５  スピンドルモータ、６  ピックアップ
【図１】
2002089137.tif 000003
【図２】
2002089137.tif 000004
【図３】
2002089137.tif 000005
【図４】
2002089137.tif 000006
【図５】
2002089137.tif 000007
【図６】
2002089137.tif 000008
【図７】
2002089137.tif 000009
【図８】
2002089137.tif 000010
【図９】
2002089137.tif 000011
【図１０】
2002089137.tif 000012
【図１１】
2002089137.tif 000013
【手続補正書】
【提出日】平成14年10月10日(2002.10.10)
【手続補正１】
【補正対象書類名】明細書
【補正対象項目名】請求項３
【補正方法】変更
【補正の内容】
【請求項３】
前記基板が第１の基板と第１の光学的情報層、および第２の基板と第２の光学的情報層からなり、前記第１の基板と前記第２の基板それぞれの前記光入射面と反対の面を向かい合わせて貼り合わせる面に磁性クランプ層を備えた請求項１に記載の光学的情報記録媒体。
【手続補正２】
【補正対象書類名】明細書
【補正対象項目名】請求項９
【補正方法】変更
【補正の内容】
【請求項９】
前記クランプ層と第１の基板および第２の基板は、樹脂材料を複合成型して固定する請求項３に記載の光学的情報記録媒体。
【手続補正３】
【補正対象書類名】明細書
【補正対象項目名】請求項１３
【補正方法】変更
【補正の内容】
【請求項１３】
基板と前記基板の上のいずれかの層に光学的情報層を有し、前記基板側及び前記基板と反対の面から選ばれる少なくとも一方の面に光入射面を備え、前記光入射面から前記情報層への入射光を阻害しない位置でかつ前記光学的情報層の一部または全部を覆う位置に磁性クランプ層を備えた光学的情報記録媒体に対して、前記光入射面側から前記情報層に光を照射する光ピックアップ装置と、
前記光学的情報記録媒体に対して前記光ピックアップ装置と反対側に位置し、前記光学的情報層の一部または全部を覆う位置に設けた前記磁性クランプ層を吸引する吸引部材を有する保持部材と、
前記保持部材を回転させる回転部材とを備えたことを特徴とする光学的情報記録再生装置。
【国際調査報告】
2002089137.tif 000014
2002089137.tif 000015
2002089137.tif 000016
2002089137.tif 000017